(57)【特許請求の範囲】
【請求項１】
在宅用医療機器である自動腹膜透析装置であって、
在宅の使用者に前記自動腹膜透析装置の操作方法を示すための複数の操作画面ガイドデータを格納する操作案内情報格納部と、
前記複数の操作画面ガイドデータをディスプレイに表示する表示順情報を格納する表示順情報格納部と、
前記ディスプレイに表示された複数の各前記操作画面ガイドデータの使用者による閲覧時間情報を計測する閲覧時間計測部と、
前記操作画面ガイドデータの前記閲覧時間の長短と、前記閲覧時間の閾値情報に基づき、前記ディスプレイに表示する前記操作画面ガイドデータを選択し、閲覧時間基準簡易操作ガイド画面順データを生成する操作案内情報選択部と、を有し、
前記ディスプレイに表示される各前記操作画面ガイドデータの画面には、前記操作画面ガイドデータの表示順を戻すことができる「戻る」実行ボタンが表示され、
制御部の制御により、使用者による前記操作画面ガイドデータ毎の前記「戻る」実行ボタンの押下回数を記憶し、前記操作案内情報選択部は、各前記操作画面ガイドデータの前記戻ボタン押下回数情報と、前記戻るボタン押下回数の閾値情報に基づいて、戻るボタン押下回数基準簡易操作ガイド画面順データも生成し、
前記閲覧時間基準簡易操作ガイド画面順データ及び／又は前記戻るボタン押下回数基準簡易操作ガイド画面順データに基づいて、前記操作画面ガイドデータを前記ディスプレイに表示する構成となっていることを特徴とする自動腹膜透析装置。
【請求項２】
前記自動腹膜透析装置と通信可能な医療従事者が管理する情報管理装置を有する管理システムであって、
前記自動腹膜透析装置は、前記各操作画面ガイドデータの前記閲覧時間及び各前記操作画面ガイドデータの前記戻ボタン押下回数情報を前記情報管理装置へ送信する構成となっていることを特徴とする請求項１に記載の自動腹膜透析装置を有する管理システム。
【発明の詳細な説明】
【技術分野】
【０００１】
本発明は、医療機器等のディスプレイに操作案内表示を表示する操作案内表示装置、操作案内表示システム及び医療機器に関するものである。特に、在宅用医療機器である、自動腹膜透析装置におけるディスプレイに操作案内表示を表示する操作案内表示装置、操作案内表示システム及び医療機器に関するものである。
【背景技術】
【０００２】
従来より、在宅用医療機器である腹膜透析装置の操作方法を使用者である患者自身または介護者に示すため、同装置のディスプレイ等にその操作方法を画像で表示する提案がなされている（例えば、特許文献１）。
また、このように操作方法をディスプレイに示す場合、初めて操作する利用者を対象として操作ガイドの画面を作成するため勢い、画面の数が多くなる。
一方、腹膜透析装置の操作に慣れている使用者の場合は、操作ガイドの画面は、少なくても構わない。
このため、操作ガイドの画面表示が多く設定されている場合と、少なく設定されている場合とを用意し、腹膜透析装置の内部スイッチ等で、これらを切り換えて使用する場合もある。
【先行技術文献】
【特許文献】
【０００３】
【特許文献１】特開２００３−７０５
【発明の概要】
【発明が解決しようとする課題】
【０００４】
しかし、腹膜透析装置等の使用者は病人であるため、このような切り替えスイッチ等の操作を忘れ、必要な操作ガイドの画面を見ることができないという問題があった。
また、操作ガイドの画面表示が少なく設定されている場合でも、その表示される操作ガイドの画面が必ずしも、個々の使用者の要望に沿ったものとはならないという問題があった。
【０００５】
そこで、本発明は、使用者の要望にあった操作案内表示を表示部に示すことができる操作案内表示装置及び操作案内表示システムを提供することを目的とする。また、使用者の要望にあった操作案内表示を表示部に示すことができる操作案内表示装置を備えた在宅用医療機器を提供することを目的とする。
【課題を解決するための手段】
【０００６】
前記課題は、本発明によれば、在宅用医療機器である自動腹膜透析装置であって、在宅の使用者に前記自動腹膜透析装置の操作方法を示すための複数の操作画面ガイドデータを格納する操作案内情報格納部と、前記複数の操作画面ガイドデータをディスプレイに表示する表示順情報を格納する表示順情報格納部と、前記ディスプレイに表示された複数の各前記操作画面ガイドデータの使用者による閲覧時間情報を計測する閲覧時間計測部と、前記各操作画面ガイドデータの前記閲覧時間の長短と、前記閲覧時間の閾値情報に基づき、前記ディスプレイに表示する前記操作画面ガイドデータを選択し、閲覧時間基準簡易操作ガイド画面順データを生成する操作案内情報選択部と、を有し、前記ディスプレイに表示される各前記操作画面ガイドデータの画面には、前記操作画面ガイドデータの表示順を戻すことができる「戻る」実行ボタンが表示され、制御部の制御により、使用者による前記操作画面ガイドデータ毎の前記「戻る」実行ボタンの押下回数を記憶し、前記操作案内情報選択部は、各前記操作画面ガイドデータの前記戻ボタン押下回数情報と、前記戻るボタン押下回数の閾値情報に基づいて、戻るボタン押下回数基準簡易操作ガイド画面順データも生成し、前記閲覧時間基準簡易操作ガイド画面順データ及び／又は前記戻るボタン押下回数基準簡易操作ガイド画面順データに基づいて、前記操作画面ガイドデータを前記ディスプレイに表示する構成となっていることを特徴とする自動腹膜透析装置により達成される。
【０００７】
好ましくは、前記自動腹膜透析装置と通信可能な医療従事者が管理する情報管理装置を有する管理システムであって、前記自動腹膜透析装置は、前記各操作画面ガイドデータの前記閲覧時間及び各前記操作画面ガイドデータの前記戻ボタン押下回数情報を前記情報管理装置へ送信する構成となっていることを特徴とする。
【発明の効果】
【００１５】
本発明は、使用者（患者）の要望にあった操作案内表示を表示部に示すことができる操作案内表示装置、操作案内表示システム及び医療機器を提供することができるという利点がある。また、使用者（患者）の要望にあった操作案内表示を表示部に示すことができる在宅用医療機器の操作案内表示装置、操作案内表示システム及び医療機器を提供することができるという利点がある。
【図面の簡単な説明】
【００１６】
【図１】本発明に係る操作案内表示装置を備える在宅用医療機器である自動腹膜透析装置を有する操作案内表示システムを示す概略図である。
【図２】図１の自動腹膜透析装置の主な構成を示す概略ブロック図である。
【図３】図２の各種データ記憶部の主な構成を示す概略ブロック図である。
【図４】操作案内表示システムの主な動作等を示す概略フローチャートである。
【図５】操作案内表示システムの主な動作等を示す他の概略フローチャートである。
【図６】操作案内表示システムの主な動作等を示す他の概略フローチャートである。
【図７】操作案内表示システムの主な動作等を示す他の概略フローチャートである。
【図８】操作案内表示システムの主な動作等を示す他の概略フローチャートである。
【図９】図３のＮｏ．１操作ガイド画面データ乃至Ｎｏ．５操作ガイド画面データの画面例を示す概略図である。
【発明を実施するための形態】
【００１７】
以下、この発明の好適な実施の形態を添付図面等を参照しながら、詳細に説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００１８】
図１は、本発明に係る操作案内表示装置を備える在宅用医療機器である自動腹膜透析装置１０を有する操作案内表示システム１を示す概略図である。
図１に示す自動腹膜透析装置１０は、腹膜透析患者に入力された処方プログラムに従って腹膜透析液を所定の速度（Ｌ／ｈ）で所定量（Ｌ）まで患者の腹腔に注入したり、患者の腹腔に貯留された腹膜透析液を、入力された処方プログラムに従って所定の速度（Ｌ／ｈ）で所定量（Ｌ）排液するもので、緑色の開始ボタン１１ｃ、橙色の停止ボタン１１ｄを備えている。また、医療従事者等が操作する情報管理装置５０とインターネットや電話回線による通信回線２で接続可能になっている。
自動腹膜透析装置１０は、表示部であるディスプレイ１１等を有している。
【００１９】
自動腹膜透析装置１０及び情報管理装置５０は、コンピュータを有している。
このコンピュータは、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）等を有し、これらは、バス等を介して配置されている。
このバスは、すべてのデバイスを接続する機能を有し、アドレスやデータパスを有する内部パスである。ＣＰＵは所定のプログラムの処理を行う他、バスに接続されたＲＯＭ等を制御している。ＲＯＭは、各種プログラムや各種情報等を格納している。ＲＡＭは、プログラム処理中のメモリの内容を対比したり、プログラムを実行するためのエリアとしての機能を有する。
【００２０】
図２は、図１の自動腹膜透析装置１０の主な構成を示す概略ブロック図であり、図３は、図２の各種データ記憶部３０の主な構成を示す概略ブロック図である。
図２に示すように、自動腹膜透析装置１０は、制御部１２を有している。また、自動腹膜透析装置１０は、自動腹膜透析装置本体２７、ディスプレイ１１、計時装置１３やディスプレイ１１には、後述する操作ガイドを表示させるためのタッチパネル式のガイド表示ボタン１４等を有し、これらは、制御部１２と接続されている。
また、ディスプレイ１１には、「次へ」実行ボタン１１ａ、「戻る」実行ボタン１１ｂ等がタッチパネルで表示される構成となっている。
【００２１】
図４乃至図８は、操作案内表示システム１の主な動作等を示す概略フローチャートである。
以下、図４乃至図８のフローチャートに沿って、操作案内表示システム１の動作等を説明しながら図２及び図３のソフトウエア構成等についても説明する。
【００２２】
先ず、図４のＳＴ１に示すように、使用者が、図１の自動腹膜透析装置１０の操作の操作ガイド画面を参照したいときは、図１の自動腹膜透析装置１０のディスプレイ１１に表示される図２のガイド表示ボタン１４を押下する。
次いで、ＳＴ２へ進む。ＳＴ２では、Ｎｏ．１操作ガイド画面が文字とともに音声ガイドを伴い、ディスプレイ１１に表示され、同時に図２の計時装置１３が時間計測を開始する。
具体的には、図２の操作ガイド画面表示部（プログラム）１５が動作し、図３の操作ガイド画面通常表示情報記憶部３２を参照する。この操作ガイド画面通常表示情報記憶部３２には、操作ガイド画面データ記憶部３１内に記憶されているＮｏ．１操作ガイド画面データ３１ａ等のディスプレイ１１への表示順が記憶されている。
この通常表示順は、Ｎｏ．１操作ガイド画面データ３１ａ、Ｎｏ．２操作ガイド画面データ３１ｂ、Ｎｏ．３操作ガイド画面データ３１ｃ、Ｎｏ．４操作ガイド画面データ３１ｄ、Ｎｏ．５操作ガイド画面データ３１ｅの順である。ここでは、Ｎｏ．１〜Ｎｏ．５までの５つの操作ガイド画面データについて説明するが、実際には、数十の操作ガイド画面データが操作ガイド画面データ記憶部３１に記憶されている。
【００２３】
このため、操作ガイド画面表示部（プログラム）１５は、この表示順に従って、図３の各種データ記憶部３０内の操作ガイド画面データ記憶部３１内のＮｏ．１操作ガイド画面データ３１ａを抽出して、ディスプレイ１１に表示する。
また、同時に図２の計時装置１３が、Ｎｏ．１操作ガイド画面データ３１ａのディスプレイ１１での表示時間を計測する。
【００２４】
図９は、図３のＮｏ．１操作ガイド画面データ３１ａ乃至Ｎｏ．５操作ガイド画面データ３１ｅの画面例を示す概略図である。
図９（ａ）乃至（ｅ）が、それぞれ、Ｎｏ．１操作ガイド画面データ３１ａ乃至Ｎｏ．５操作ガイド画面データ３１ｅに対応する。
図９（ａ）等に示すように、Ｎｏ．１操作ガイド画面データ３１ａ等には、それぞれ、「戻る」及び「次へ」が表示され、これらを画面上でタッチパネルで選択できるようになっている。
【００２５】
なお、Ｎｏ．１操作ガイド画面データ３１ａ等が操作案内情報の一例であり、操作ガイド画面データ記憶部３１が、操作案内情報格納部の一例である。また、操作ガイド画面通常表示情報記憶部３２が、表示順情報格納部の一例である。
【００２６】
次いで、ＳＴ３へ進む。ＳＴ３では、「次へ」のボタンが押されたか否かが判断され、ＳＴ３で、「次へ」のボタンが押されたと判断した場合は、ＳＴ４へ進む。
具体的には、ディスプレイ１１上に表示されている、図９（ａ）に示す「次へ」を選択すると、図２の「次へ」実行ボタン１１ａが押され、この押下を図２の「次へ」実行ボタン判断部（プログラム）１６が判断する構成となっている。
【００２７】
ＳＴ４では、計時装置１３による時間計測が終了し、利用者によるＮｏ．１操作ガイド画面データ３１ａの閲覧時間が登録される。
具体的には、操作ガイド画面閲覧時間入力部（プログラム）１７が動作して、計時装置１３の時間計測を終了させ、その時間をＮｏ．１操作ガイド画面データ３１ａの閲覧時間として、図３の操作ガイド画面閲覧時間記憶部３３に記憶させる。
このため、計時装置１３が、閲覧時間計測部の一例となっている。
【００２８】
次いで、ＳＴ５へ進む。ＳＴ５では、Ｎｏ．２操作ガイド画面を表示し、計時装置が時間計測を開始する。
具体的には、図２の操作ガイド画面表示部（プログラム）１５が動作して、図３の操作ガイド画面通常表示情報記憶部３２の表示順に従い、図３の操作ガイド画面データ記憶部３１内のＮｏ．２操作ガイド画面データ３１ｂをディスプレイ１１に表示する。
【００２９】
次いで、ＳＴ６へ進む。ＳＴ６では、ＳＴ３と同様に、「次へ」のボタンが押されたか否かが判断され、ＳＴ６で、「次へ」のボタンが押されたと判断した場合は、ＳＴ７へ進む。
【００３０】
ＳＴ７では、計時装置１３による時間計測が終了し、利用者によるＮｏ．２操作ガイド画面データ３１ｂの閲覧時間が登録される。
具体的には、操作ガイド画面閲覧時間入力部（プログラム）１７が動作して、計時装置１３の時間計測を終了させ、その時間をＮｏ．２操作ガイド画面データ３１ｂの閲覧時間として、図３の操作ガイド画面閲覧時間記憶部３３に記憶させる。
【００３１】
一方、ＳＴ６で、「次へ」のボタンが押されていないと判断された場合は、ＳＴ８へ進む。ＳＴ８では、「戻る」のボタンが押されたか否かを判断する。
具体的には、利用者が、図９（ｂ）のＮｏ．２操作ガイド画面データ３１ｂの「戻る」ボタンを押すと、図２の「戻る」実行ボタン１１ｂが押され、この押下を「戻る」実行ボタン判断部（プログラム）１８で判断する。
【００３２】
ＳＴ８で、「戻る」のボタンが押されたと判断すると、ＳＴ９へ進む。ＳＴ９では、Ｎｏ．２操作ガイド画面で「戻る」ボタンが押下されたことを登録する。
具体的には、図２の戻るボタン押下回数入力部（プログラム）１９が動作して、その「戻る」ボタンの押下回数、例えば１回が、Ｎｏ．２操作ガイド画面データ３１ｂで押下されたことを、図３の戻るボタン押下回数記憶部３４に登録する。
このため、戻るボタン押下回数記憶部３４には、Ｎｏ．２操作ガイド画面データ３１ｂで、「戻る」実行ボタンが１１ｂが１回押下されたことが記憶される。
この押下回数は、各操作ガイド画面データ毎に累積して記録される。
【００３３】
なお、Ｎｏ．２操作ガイド画面データ３１ｂで、「戻る」実行ボタンが１１ｂが１回押下されたことが、繰返し閲覧指示情報の一例であり、戻るボタン押下回数記憶部３４が、繰返し閲覧指示情報格納部の一例である。
ＳＴ９の次は、ＳＴ２へ戻り、図９（ａ）のＮｏ．１操作ガイド画面データ３１ａが表示され、ＳＴ２以降の工程が繰り返される。
【００３４】
なお、ＳＴ７の次は、図５のＳＴ９へ進む。ＳＴ９乃至ＳＴ１３は、上述のＳＴ５乃至ＳＴ９とほぼ同様であり、ディスプレイ１１に表示する操作ガイド画面が、Ｎｏ．３操作ガイド画面データ３１ｃである点のみが相違するので、説明を省略する。
また、図５では、Ｎｏ．３操作ガイド画面データ３１ｃの表示まで示し、その後のＮｏ．４操作ガイド画面データ３１ｄ及びＮｏ．５操作ガイド画面データ３１ｅの表示についてフローチャートを示していない。これは、Ｎｏ．４操作ガイド画面データ３１ｄ及びＮｏ．５操作ガイド画面データ３１ｅも、Ｎｏ．３操作ガイド画面データ３１ｃに関するＳＴ９乃至ＳＴ１３と同様の工程が実行されるため、その説明を省略したためであり、実際は、これらについても同様の工程が実行される。
【００３５】
以上のような工程を経て、使用者による図９（ａ）乃至（ｅ）に示す各操作ガイド画面データ３１ａ乃至３１ｅの閲覧が終わる。
この閲覧により、図３の操作ガイド画面閲覧時間記憶部３３に、使用者の閲覧時間に関するデータを取得される。具体的には、各操作ガイド画面データ毎の閲覧時間のデータを取得する。
また、戻るボタン押下回数記憶部３４に、使用者が「戻る」ボタン１１ｂを押下した回数が、各操作ガイド画面データ毎に登録される。
【００３６】
このため、事後、使用者が操作ガイド画面データをディスプレイ１１に表示するときは、自動腹膜透析装置１０が、使用者に必要としている操作ガイド画面データを自動的に選択して表示することになる。
以下、具体的に説明する。
【００３７】
（閲覧時間を基準に操作ガイド画面データを選択する場合）
図６は、閲覧時間を基準に操作ガイド画面データをタッチパネルで選択して表示する例を示す概略フローチャートである。
先ず、使用者が、図１の自動腹膜透析装置１０の操作の操作ガイド画面を参照したいときは、ＳＴ１と同様に、図１の自動腹膜透析装置１０のディスプレイ１１に表示される図２のガイド表示ボタン１４を押下する（ＳＴ２１）。
【００３８】
ガイド表示ボタン１４が押されると、ＳＴ２２へ進む。ＳＴ２２では、操作ガイド画面閲覧時間記憶部３３内に規定以下の操作ガイド画面閲覧時間があるか否かを判断する。
具体的には、図２の操作ガイド画面閲覧時間判断部（プログラム）２０が動作して、図３の操作ガイド画面閲覧時間記憶部３３内のデータに規定時間（例えば、２０秒）以下の閲覧時間で終了したＮo．１操作ガイド画面データ３１ａ等が存在するか否か判断する。
また、図３の操作ガイド画面閲覧時間閾値データ記憶部３５には、この規定時間のデータが格納されている。
このため、操作ガイド画面閲覧時間判断部（プログラム）２０は、この操作ガイド画面閲覧時間閾値データ記憶部３５内の閾値データを参照して、規定時間以下か否かを判断する。
【００３９】
ＳＴ２２で、規定以下の閲覧時間で終了したＮｏ．１操作ガイド画面データ３１ａ等が存在した場合は、ＳＴ２３へ進む。
ＳＴ２３では、操作ガイド画面閲覧時間を基準に簡易操作ガイド画面順を決定する。
具体的には、図２の閲覧時間基準簡易操作ガイド画面順データ生成部（プログラム）２１が動作して、図３の操作ガイド画面閲覧時間記憶部３３内で閲覧時間が規定以下であった操作ガイド画面データ以外のデータで、簡易操作ガイド画面順データを生成して、図３の簡易操作ガイド画面順データ記憶部３６に記憶する。
【００４０】
例えば、操作ガイド画面閲覧時間記憶部３３内で、Ｎｏ．２操作ガイド画面データ３１ｂ、Ｎｏ．３操作ガイド画面データ３１ｃ及びＮｏ．５操作ガイド画面データ３１ｅについて、その閲覧時間が規定以下であった場合は、これらは、利用者が良く理解している操作であり、表示する必要がないと判断し、Ｎｏ．１操作ガイド画面データ３１ａ及びＮｏ．４操作ガイド画面データ３１ｄからなる簡易操作ガイド画面順データを作成し、簡易操作ガイド画面順データ記憶部３６に記憶させる。
【００４１】
このように、閲覧時間基準簡易操作ガイド画面順データ生成部（プログラム）２１が、操作案内情報選択部の一例となっている。
【００４２】
次いで、ＳＴ２４へ進む。ＳＴ２４では、簡易操作ガイド画面順データ記憶部３６内のデータに従い、操作ガイド画面データをディスプレイ１１に表示する。
これは、基本的には、図４及び図５の工程と同様であるが、図４及び図５が、図３の操作ガイド画面通常表示情報記憶部３２内の表示順に従い、Ｎｏ．１操作ガイド画面データ３１ａ等をディスプレイ１１に表示しているのに対し、ＳＴ２４では、操作ガイド画面通常表示情報記憶部３２内の表示順ではなく、図３の簡易操作ガイド画面順データ記憶部３６内のデータの表示順に従いディスプレイ１１に表示する点が異なる。
【００４３】
したがって、自動腹膜透析装置１０のディスプレイ１１は、使用者が表示を要望（要求）する操作ガイド画面データのみを選択して、表示することができ、使用者が既に理解し、表示する必要がない操作ガイド画面データを表示しない構成となっているので、極めて使い易い装置となっている。
【００４４】
（戻るボタン押下回数を基準に操作ガイド画面データを選択する場合）
図７は、戻るボタン押下回数を基準に操作ガイド画面データを選択して表示する例を示す概略フローチャートである。
先ず、使用者が、図１の自動腹膜透析装置１０の操作の操作ガイド画面を参照したいときは、ＳＴ１と同様に、自動腹膜透析装置１０のディスプレイ１１に表示される図２のタッチパネルのガイド表示ボタン１４を押下する（ＳＴ３１）。
【００４５】
ガイド表示ボタン１４が押されると、ＳＴ３２へ進む。ＳＴ３２では、戻るボタン押下回数記憶部３４内に規定以上の戻るボタン押下回数の操作ガイド画面データがあるか否かを判断する。
具体的には、図２の戻るボタン押下回数判断部（プログラム）２２が動作して、図３の戻るボタン押下回数記憶部３４内のデータに規定回数（例えば２回）以上に戻るボタンを押下したＮｏ．１操作ガイド画面データ３１ａ等が存在するか否か判断する。
また、図３の戻るボタン押下回数閾値データ記憶部３７には、この規定回数のデータが格納されている。
このため、戻るボタン押下回数判断部（プログラム）２２は、この戻るボタン押下回数閾値データ記憶部３７内の閾値データを参照して、規定回数以下か否かを判断する。
【００４６】
ＳＴ３２で、規定回数以下に戻るボタンの押下があったＮｏ．１操作ガイド画面データ３１ａ等が存在した場合は、ＳＴ３３へ進む。
ＳＴ３３では、戻るボタン押下回数データを基準に簡易操作ガイド画面順を決定する。
具体的には、図２の押下回数基準簡易操作画面順データ生成部（プログラム）２３が動作して、図３の戻るボタン押下回数記憶部３４内で、押下回数が規定以下であった操作ガイド画面データを選択し、簡易操作ガイド画面順データを生成して、図３の簡易操作ガイド画面順データ記憶部３６に記憶する。
【００４７】
例えば、戻るボタン押下回数記憶部３４内で、Ｎｏ．３操作ガイド画面データ３１ｃ及びＮｏ．４操作ガイド画面データ３１ｄについて、その戻るボタンの押下回数が規定以上であった場合は、これらは、利用者がよく理解していない操作であり、表示する必要があると判断し、最初の操作ガイド画面データであるＮｏ．１操作ガイド画面データ３１ａと、これらＮo．３操作ガイド画面データ３１ｃ及びＮo．４操作ガイド画面データ３１ｄからなる簡易操作ガイド画面順データを作成し、簡易操作ガイド画面順データ記憶部３６に記憶させる。
【００４８】
このように、戻るボタン押下回数基準簡易操作ガイド画面順データ生成部（プログラム）２３が、操作案内情報選択部の一例となっている。
【００４９】
次いで、ＳＴ３４へ進む。ＳＴ３４では、簡易操作ガイド画面順データ記憶部３６内のデータに従い、操作ガイド画面データをディスプレイ１１に表示する。
これは、基本的には、図４及び図５の工程と同様であるが、図４及び図５が、図３の操作ガイド画面通常表示情報記憶部３２内の表示順に従い、Ｎｏ．１操作ガイド画面データ３１ａ等をディスプレイ１１に表示しているのに対し、ＳＴ２４では、操作ガイド画面通常表示情報記憶部３２内の表示順ではなく、図３の簡易操作ガイド画面順データ記憶部３６内のデータの表示順に従いディスプレイ１１に表示する点が異なる。
【００５０】
したがって、自動腹膜透析装置１０のディスプレイ１１は、使用者が特に表示を要望（要求）する操作ガイド画面データを選択して、それらのみを表示することができ、使用者が既に理解し、表示する必要がない操作ガイド画面データを表示しない構成となっているので、極めて使い易い装置となっている。
【００５１】
（操作ガイド画面閲覧時間記憶部３３及び戻るボタン押下回数記憶部３４内のデータを使用して、使用者等が任意に操作ガイド画面データの表示順を変更する場合）
図８は、操作ガイド画面閲覧時間記憶部３３及び戻るボタン押下回数記憶部３４内のデータを利用して、使用者等が任意に操作ガイド画面データの表示順を変更する場合を示す概略フローチャートである。
先ず、使用者がディスプレイ１１に表示される操作ガイド画面データの表示順を任意に変更したい場合は、図２のディスプレイ１１に、操作ガイド画面順マニュアル決定画面を表示させる（ＳＴ４１）。
具体的には、図２の操作ガイド画面順マニュアル決定画面表示部（プログラム）２４が動作して、図３の操作ガイド画面データ記憶部３１内のＮｏ．１操作ガイド画面データ３１ａ等をディスプレイ１１に表示させる。
【００５２】
次いで、ＳＴ４２へ進む。ＳＴ４２では、図３の操作ガイド画面閲覧時間記憶部３３及び戻るボタン押下回数記憶部３４内のデータ、すなわち、各操作ガイド画面データの閲覧時間や戻るボタンの押下回数のデータをディスプレイ１１に表示する。
具体的には、図２の記憶部内データ表示部（プログラム）２５が動作して実行する。
【００５３】
次いで、ＳＴ４３へ進む。ＳＴ４３では、使用者が、ディスプレイ１１を見ながら、表示すべき操作ガイド画面を特定する。
具体的には、図２のマニュアル入力部（プログラム）２６が動作し、図２のディスプレイ１１上で、表示すべき操作ガイド画面を特定して、選択する。
このマニュアル入力部（プログラム）２６が、変更入力部の一例となっている。
【００５４】
例えば、使用者が、Ｎo．１操作ガイド画面データ３１ａ、Ｎo．３操作ガイド画面データ３１ｃ及びＮｏ．５操作ガイド画面データ３１ｅを特定、選択した場合は、この３つのデータが、図３のマニュアル操作ガイド画面順データ記憶部３８に記憶される。
そして、事後、図５及び図６の工程が実行されるときは、マニュアル操作ガイド画面順データ記憶部３８内のデータが、図３の操作ガイド画面通常表示情報記憶部３２内のデータの代わりとなり、図２の操作ガイド画面表示部（プログラム）１５が、マニュアル操作ガイド画面順データ記憶部３８内のデータ順に従い、操作ガイド画面データをディスプレイ１１に表示することになる。
【００５５】
このように、使用者の操作手順の熟練度に応じて任意に定めた表示順に操作ガイド画面データをディスプレイ１１に表示させることもできるので、使用者にとって極めて使い易い自動腹膜透析装置となる。
【００５６】
また、本実施の形態では、図１に示すように、自動腹膜透析装置１０は、必要に応じて、情報管理装置５０と通信によって接続可能とされているため、医療従事者は、自動腹膜透析装置１０内の操作ガイド画面閲覧時間記憶部３３及び戻るボタン押下回数記憶部３４内のデータを情報管理装置５０から取得することができる。
したがって、医療従事者は、自動腹膜透析装置１０の使用者が必要としている操作ガイド画面データを詳細に知ることができる。
さらに、医療従事者は、情報管理装置５０を操作することで、自動腹膜透析装置１０内の操作ガイド画面の表示順を変更することができる。
具体的には、情報管理装置５０から図８の工程を実行でき、当該使用者に合った操作ガイド画面データをディスプレイ１１に表示するように設定することができる。
【００５７】
本発明は、上述の各実施の形態に限定されない。
【符号の説明】
【００５８】
１・・・操作案内表示システム、２・・通信回線、１０・・・自動腹膜透析装置、１１・・・ディスプレイ、１１ａ・・・「次へ」実行ボタン、１１ｂ・・・「戻る」実行ボタン、１２・・・制御部、１３・・・計時装置、１４・・・ガイド表示ボタン、１５・・・操作ガイド画面表示部（プログラム）、１６・・・「次へ」実行ボタン判断部（プログラム）、１７・・・操作ガイド画面閲覧時間入力部（プログラム）、１８・・・「戻る」実行ボタン判断部（プログラム）、１９・・・戻るボタン押下回数入力部（プログラム）、２０・・・操作ガイド画面閲覧時間判断部（プログラム）、２１・・・閲覧時間基準簡易操作ガイド画面順データ生成部（プログラム）、２２・・・戻るボタン押下回数判断部（プログラム）、２３・・・押下回数基準簡易操作画面順データ生成部（プログラム）、２４・・・操作ガイド画面順マニュアル決定画面表示部（プログラム）、２５・・・記憶部内データ表示部（プログラム）、２６・・・マニュアル入力部（プログラム）、２７・・・自動腹膜透析装置本体、３０・・・各種データ記憶部、３１・・・操作ガイド画面データ記憶部、３１ａ・・・Ｎｏ．１操作ガイド画面データ、３１ｂ・・・Ｎｏ．２操作ガイド画面データ、３１ｃ・・・Ｎｏ．３操作ガイド画面データ、３１ｄ・・・Ｎｏ．４操作ガイド画面データ、３１ｅ・・・Ｎｏ．５操作ガイド画面データ、３２・・・操作ガイド画面通常表示情報記憶部、３３・・・操作ガイド画面閲覧時間記憶部、３４・・・戻るボタン押下回数記憶部、３５・・・操作ガイド画面閲覧時間閾値データ記憶部、３６・・・簡易操作ガイド画面順データ記憶部、３７・・・戻るボタン押下回数閾値データ記憶部、３８・・・マニュアル操作ガイド画面順データ記憶部
【図１】
0005539692.tif 000002
【図２】
0005539692.tif 000003
【図３】
0005539692.tif 000004
【図４】
0005539692.tif 000005
【図５】
0005539692.tif 000006
【図６】
0005539692.tif 000007
【図７】
0005539692.tif 000008
【図８】
0005539692.tif 000009
【図９】
0005539692.tif 000010